(57)【特許請求の範囲】
【請求項１】
電子機器の筐体の内部に設けられ当該筐体の第一方向に露出しケーブル側コネクタの少なくとも一部が挿入される挿入口、が設けられたベース部と、
前記ケーブル側コネクタのロックレバーをロックするロック部が設けられ、前記ロック部が前記筐体に収納された収納位置と、前記ロック部が前記筐体から前記第一方向に突出し前記ロックレバーをロック可能な突出位置と、の間で前記第一方向に沿ってスライド可能に前記ベース部に支持された可動部と、
前記挿入口内に設けられ、前記ケーブル側コネクタに前記第一方向の反対方向に押圧されることにより前記可動部を前記収納位置から前記突出位置へと移動させる可動アームと、
を備えた、コネクタ。
【請求項２】
前記可動部は、前記ロック部が設けられたベース壁と、前記ベース壁から前記挿入口内に突出し長穴が設けられた取付壁と、を有し、
前記可動アームは、前記ベース部に前記第一方向と交差した第二方向に沿って延びた回転中心回りに回転可能に支持されたアーム部と、前記アーム部から突出し前記長穴内に挿入された突出部と、を有した、請求項１に記載のコネクタ。
【請求項３】
請求項１または２に記載のコネクタと、
前記コネクタが設けられ、通信ケーブルのケーブル側コネクタと接続可能な筐体と、
を備えた、電子機器。
【発明の詳細な説明】
【技術分野】
【０００１】
本発明は、コネクタおよび電子機器に関する。
【背景技術】
【０００２】
従来、電子機器の筐体の内部に設けられ当該筐体の第一方向に露出しケーブル側コネクタの少なくとも一部が挿入される挿入口と、ケーブル側コネクタのロックレバーをロックするロック部と、が設けられたコネクタが、知られている（例えば、特許文献１参照）。
【先行技術文献】
【特許文献】
【０００３】
【特許文献１】特開２０１６−１４３６５５号公報
【発明の概要】
【発明が解決しようとする課題】
【０００４】
上記従来のコネクタでは、例えば、ロック部が筐体の内側に位置されているため、筐体にロックレバーを逃がすための切欠部を設けたり、筐体の高さを増大してロックレバーを逃がす空間を確保したりといった不都合が生じてしまう虞があった。
【０００５】
そこで、本発明の課題の一つは、ケーブル側コネクタのロックレバーをロックすることが可能な、より不都合の少ない新規な構成のコネクタおよび電子機器を得ることである。
【課題を解決するための手段】
【０００６】
本発明の第一態様にかかるコネクタは、電子機器の筐体の内部に設けられ当該筐体の第一方向に露出しケーブル側コネクタの少なくとも一部が挿入される挿入口、が設けられたベース部と、前記ケーブル側コネクタのロックレバーをロックするロック部が設けられ、前記ロック部が前記筐体に収納された収納位置と、前記ロック部が前記筐体から前記第一方向に突出し前記ロックレバーをロック可能な突出位置と、の間で前記第一方向に沿ってスライド可能に前記ベース部に支持された可動部と、前記挿入口内に設けられ、前記ケーブル側コネクタに前記第一方向の反対方向に押圧されることにより前記可動部を前記収納位置から前記突出位置へと移動させる可動アームと、を備える。
【００１２】
また、前記可動部は、前記ロック部が設けられたベース壁と、前記ベース壁から前記挿入口内に突出し長穴が設けられた取付壁と、を有し、前記可動アームは、前記ベース部に前記第一方向と交差した第二方向に沿って延びた回転中心回りに回転可能に支持されたアーム部と、前記アーム部から突出し前記長穴内に挿入された突出部と、を有している。
【００１３】
また、本発明の第二態様にかかる電子機器は、前記コネクタと、前記コネクタが設けられ、通信ケーブルのケーブル側コネクタと接続可能な筐体と、を備える。
【発明の効果】
【００１４】
本発明の上記態様によれば、ケーブル側コネクタのロックレバーをロックすることが可能な、より不都合の少ない新規な構成のコネクタおよび電子機器を得ることができる。
【図面の簡単な説明】
【００１５】
【図１】図１は、実施形態のコネクタが設けられた電子機器の正面側からの例示的な斜視図である。
【図２】図２は、実施形態のコネクタの例示的な斜視図であって、可動部が収納位置に位置された状態の図である。
【図３】図３は、実施形態のコネクタの例示的な斜視図であって、可動部が突出位置に位置された状態の図である。
【図４】図４は、実施形態のコネクタの例示的な斜視図であって、挿入口にケーブル側コネクタが挿入された状態の図である。
【図５】図５は、図４のＹＺ断面図である。
【図６】図６は、変形例のコネクタの例示的な斜視図であって、可動部が収納位置に位置された状態の図である。
【図７】図７は、変形例のコネクタの例示的な斜視図であって、可動部が突出位置に位置された状態の図である。
【図８】図８は、変形例のコネクタの例示的な斜視図であって、挿入口にケーブル側コネクタが挿入された状態の図である。
【図９】図９は、変形例のコネクタの可動部の例示的な斜視図である。
【図１０】図１０は、変形例のコネクタの可動部の例示的な斜視図であって、図９とは異なる角度から見た図である。
【図１１】図１１は、図７のＹＺ断面図である。
【発明を実施するための形態】
【００１６】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１７】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１８】
［実施形態］
図１は、実施形態のコネクタ１０が設けられた電子機器１の正面側からの斜視図である。なお、以下の説明では、便宜上、互いに直交する三方向が定義されている。Ｘ方向は、電子機器１の奥行方向（前後方向、短手方向）に沿い、Ｙ方向は、電子機器１の幅方向（左右方向、長手方向）に沿い、Ｚ方向は、電子機器１の厚さ方向（上下方向）に沿う。
【００１９】
また、以下の説明では、便宜上、Ｘ方向は後方、Ｘ方向の反対方向は前方とも称され、Ｙ方向は右方、Ｙ方向の反対方向は左方とも称され、Ｚ方向は上方、Ｚ方向の反対方向は下方とも称される場合がある。Ｙ方向は、第一方向の一例であり、Ｘ方向は、第二方向の一例である。
【００２０】
図１に示されるように、電子機器１は、例えば、クラムシェル型（ノートブック型）のパーソナルコンピュータとして構成されており、ベース筐体２と、ディスプレイ筐体３と、を備えている。ベース筐体２には、キーボード４（入力装置）や、パームレスト８、後述するコネクタ１０等が設けられ、ディスプレイ筐体３には、ディスプレイユニット６や、アンテナ５等が設けられている。
【００２１】
ベース筐体２は、筐体の一例である。なお、電子機器１は、この例には限定されず、例えば、デスクトップ型のパーソナルコンピュータや、映像表示装置、テレビジョン受像機、ゲーム機、映像表示制御装置、情報記憶装置等、コネクタ１０が設けられた種々の電子機器１として構成することができる。
【００２２】
ベース筐体２は、例えば、キーボード４が露出する上面２ａ１と、上面２ａ１とは反対側を向いた下面２ｂ１と、を有する。キーボード４は、上方から操作可能な状態に、ベース筐体２に支持されている。ベース筐体２内には、ＣＰＵ（Central  Processing  Unit）や、ＲＯＭ（Read  Only  Memory）、ＲＡＭ（Random  Access  Memory）等の複数の電子部品が実装された基板が設けられている。基板内の配線とこれら複数の電子部品とによって、電子機器１の制御回路の少なくとも一部が構成されている。
【００２３】
ディスプレイ筐体３は、例えば、ディスプレイユニット６の表示画面６ａが露出する前面３ａ１と、前面３ａ１とは反対側を向いた後面３ｂ１と、を有する。ディスプレイユニット６は、表示画面６ａが前方から視認可能な状態に、ディスプレイ筐体３に支持されている。また、前面３ａ１の一部および表示画面６ａは、タッチパネル９の透明部によって覆われている。
【００２４】
ディスプレイ筐体３は、例えば、一方向（図１ではＸ方向）に扁平な直方体状に構成されている。ディスプレイ筐体３は、前壁３ａや、後壁３ｂ、複数の側壁３ｃ〜３ｆ等を有している。前壁３ａは、前面３ａ１を含み、後壁３ｂは、後面３ｂ１を含む。前壁３ａは、四角形状の枠状に構成され、後壁３ｂは、四角形状の板状に構成されている。
【００２５】
側壁３ｃおよび側壁３ｅは、それぞれ、ディスプレイ筐体３の下端部３ｈおよび上端部３ｊを構成している。下端部３ｈは、ヒンジ７の回転中心Ａｘ１と隣接（近接）している。上端部３ｊは、下端部３ｈよりもヒンジ７の回転中心Ａｘ１と離間している。また、側壁３ｄおよび側壁３ｆは、それぞれ、ディスプレイ筐体３の左端部３ｉおよび右端部３ｋを構成している。
【００２６】
ディスプレイ筐体３は、例えば、フロントカバー３１やミドルカバー３２等の複数の部品（分割体）の組み合わせによって構成されている。フロントカバー３１は、前壁３ａと、側壁３ｃ〜３ｆのそれぞれの一部と、を含む。リヤカバー３２は、後壁３ｂと、側壁３ｃ〜３ｆのそれぞれの一部と、を含む。フロントカバー３１とリヤカバー３２とは、爪やネジ等によって互いに結合されている。
【００２７】
ベース筐体２は、例えば、Ｚ方向に扁平な直方体状の箱型に構成されている。ベース筐体２は、上壁２ａや、下壁２ｂ、複数の側壁２ｃ〜２ｆ等を有している。上壁２ａは、上面２ａ１を含み、下壁２ｂは、下面２ｂ１を含む。上壁２ａおよび下壁２ｂは、いずれも、Ｚ方向と直交する方向（ＸＹ平面）に沿って延びており、Ｚ方向に間隔をあけて互いに平行に設けられている。
【００２８】
側壁２ｃおよび側壁２ｅは、いずれも、Ｘ方向と直交する方向（ＹＺ平面）に沿って延びており、Ｘ方向に間隔をあけて互いに平行に設けられている。側壁２ｃは、上壁２ａおよび下壁２ｂのＸ方向の反対方向の端部の間に亘り、側壁２ｅは、上壁２ａおよび下壁２ｂのＸ方向の端部の間に亘っている。側壁２ｃは、ベース筐体２の前端部２ｈを構成し、側壁２ｅは、ベース筐体２の後端部２ｊを構成している。
【００２９】
側壁２ｄおよび側壁２ｆは、いずれも、Ｙ方向と直交する方向（ＸＺ平面）に沿って延びており、Ｙ方向に間隔をあけて互いに平行に設けられている。側壁２ｄは、上壁２ａおよび下壁２ｂのＹ方向の反対方向の端部の間に亘り、側壁２ｆは、上壁２ａおよび下壁２ｂのＹ方向の端部の間に亘っている。側壁２ｄは、ベース筐体２の左端部２ｉを構成し、側壁２ｆは、ベース筐体２の右端部２ｋを構成している。
【００３０】
ベース筐体２は、例えば、トップカバー２１やボトムカバー２２等の複数の部品（分割体）の組み合わせによって構成されている。トップカバー２１は、上壁２ａと、側壁２ｃ〜２ｆのそれぞれの一部と、を含む。ボトムカバー２２は、下壁２ｂと、側壁２ｃ〜２ｆのそれぞれの一部と、を含む。トップカバー２１とボトムカバー２２とは、爪やネジ等によって互いに結合されている。
【００３１】
また、図１に示されるように、側壁２ｆには、コネクタ１０が設けられている。コネクタ１０は、例えば、ＲＪ−４５（モジュラー式）コネクタ等によって構成され、ＬＡＮケーブル４２（図４，５参照）のケーブル側コネクタ４０と接続可能である。ＬＡＮケーブル４２は、通信ケーブルの一例である。
【００３２】
図２は、コネクタ１０の斜視図であって、可動部１３が収納位置Ｐ１に位置された状態の図であり、図３は、コネクタ１０の斜視図であって、可動部１３が突出位置Ｐ２に位置された状態の図である。図２，３に示されるように、コネクタ１０は、例えば、ベース部１１と、可動部１３と、コネクタ端子１４と、を備えている。
【００３３】
ベース部１１は、ベース筐体２の内部に固定されている。ベース部１１には、Ｙ方向に向けて開放された挿入口１２が設けられている。挿入口１２は、上述した側壁２ｆからＹ方向に露出し、ケーブル側コネクタ４０（図４参照）の少なくとも一部が挿入される。ベース部１１は、固定部等とも称される。
【００３４】
可動部１３は、ベース部１１にＸ方向に沿って延びる回転中心Ａｘ２を有したヒンジを介して回転可能に支持されている。可動部１３は、ヒンジの回転中心Ａｘ２回りに回転することで、収納位置Ｐ１（図２参照）と、突出位置Ｐ２（図３参照）と、の間で移動可能（開閉可能）である。可動部１３は、フラップや、レバー、蓋等とも称される。可動部１３は、ベース部１１とともにコネクタ１０のボディを構成している。
【００３５】
ベース部１１は、例えば、天壁１１ａと、底壁１１ｂと、複数の立壁１１ｃ〜１１ｅと、傾斜面１１ｇと、を有している。ベース部１１の挿入口１２は、天壁１１ａ、底壁１１ｂ、および立壁１１ｃ〜１１ｅによって囲まれている。また、挿入口１２は、可動部１３が収納位置Ｐ１（図２参照）に位置された状態では、当該可動部１３によってＹ方向から少なくとも一部が覆われる（塞がれる）。
【００３６】
天壁１１ａおよび底壁１１ｂは、いずれも、Ｚ方向と直交する方向（ＸＹ平面）に沿って延びており、Ｚ方向に間隔をあけて互いに平行に設けられている。天壁１１ａは、コネクタ１０の上端部を構成し、底壁１１ｂは、コネクタ１０の下端部を構成している。天壁１１ａには、Ｚ方向に貫通した開口部１１ｆが設けられている。開口部１１ｆは、例えば、ケーブル側コネクタ４０のロックレバー４１（図４参照）の逃げ穴として機能しうる。
【００３７】
立壁１１ｃおよび立壁１１ｄは、いずれも、Ｘ方向と直交する方向（ＹＺ平面）に沿って延びており、Ｘ方向に間隔をあけて互いに平行に設けられている。立壁１１ｃは、天壁１１ａおよび底壁１１ｂのＸ方向の反対方向の端部の間に亘り、立壁１１ｄは、天壁１１ａおよび底壁１１ｂのＸ方向の端部の間に亘っている。立壁１１ｃは、コネクタ１０の左端部を構成し、立壁１１ｄは、コネクタの右端部を構成している。
【００３８】
立壁１１ｅは、Ｙ方向と直交する方向（ＸＺ平面）に沿って延びている。立壁１１ｅは、天壁１１ａおよび底壁１１ｂのＹ方向の反対方向の端部の間に亘っている。立壁１１ｅは、コネクタ１０の後端部を構成している。また、立壁１１ｅには、コネクタ端子１４が設けられている。
【００３９】
傾斜面１１ｇは、天壁１１ａのＹ方向の端面に設けられている。傾斜面１１ｇは、Ｙ方向の反対方向に向かうにつれてＺ方向（上方）へ向かうように傾斜している。そして、本実施形態では、傾斜面１１ｇと可動部１３の端部１３ａ１との当接によって可動部１３の突出位置Ｐ２から収納位置Ｐ１とは反対側、すなわち図２，３の回転中心Ａｘ２回りの反時計回り方向への回転が制限される。これにより、可動部１３が突出位置Ｐ２で保持される。傾斜面１１ｇは、ストッパ部の一例である。
【００４０】
可動部１３は、例えば、ベース壁１３ａと、ロック壁１３ｂと、複数の端壁１３ｃ，１３ｄと、を有している。ベース壁１３ａは、可動部１３が収納位置Ｐ１に位置された状態では、立壁１１ｅと平行に延びた板状に構成されている。ベース壁１３ａは、ベース部１１のＹ方向の端面１１ｈと傾斜面１１ｇとの間の隙間（凹部）に収容されている。ベース壁１３ａは、ベース部１１の端面１１ｈとともにコネクタ１０の前端部を構成している。
【００４１】
また、ベース壁１３ａには、傾斜面１１ｇ側の端部１３ａ１を切り欠いた切欠部１３ｅが設けられている。ベース壁１３ａは、可動部１３が収納位置Ｐ１に位置された状態では、切欠部１３ｅによってＺ方向に向けて開放された略Ｕ字状に構成されている。切欠部１３ｅは、例えば、ケーブル側コネクタ４０のロックレバー４１（図４，５参照）の逃げ穴として機能しうる。
【００４２】
図３に示されるように、端壁１３ｃおよび端壁１３ｄは、いずれも、Ｘ方向と直交する方向（ＹＺ平面）に沿って延びており、Ｘ方向に間隔をあけて互いに平行に設けられている。端壁１３ｃは、ベース壁１３ａのＸ方向の反対方向の端部と接続され、端壁１３ｄは、ベース壁１３ａのＸ方向の端部と接続されている。
【００４３】
端壁１３ｃ，１３ｄの端面は、例えば、ベース壁１３ａの端部１３ａ１から当該端部１３ａ１とは反対側の端部（ロック壁１３ｂ）に向かうにつれてベース壁１３ａから離れるように傾斜している。これにより、可動部１３の剛性や強度が高められている。端壁１３ｃ，１３ｄは、可動部１３が収納位置Ｐ１に位置された状態では、立壁１１ｃ，１１ｄの内側に収納される。
【００４４】
図４は、コネクタ１０の斜視図であって、挿入口１２にケーブル側コネクタ４０が挿入された状態の図であり、図５は、図４のＹＺ断面図である。図４，５に示されるように、ロック壁１３ｂは、ベース壁１３ａの傾斜面１１ｇとは反対側の端部に設けられている。ロック壁１３ｂは、ベース壁１３ａと交差（直交）し、ベース壁１３ａと端壁１３ｃ，１３ｄとの間に亘っている。
【００４５】
ロック壁１３ｂには、ベース壁１３ａとは反対側の端部を切り欠いた切欠部１３ｆが設けられている。切欠部１３ｆは、例えば、ケーブル側コネクタ４０のロックレバー４１の逃げ穴として機能しうる。ロック壁１３ｂは、ロックレバー４１に向けて開放された略Ｕ字状に構成されている。
【００４６】
また、ロック壁１３ｂは、外面１３ｂ１と、内面１３ｂ２（図５参照）と、を有している。内面１３ｂ２は、ロックレバー４１からＸ方向に沿って突出した突出部４１ａとＹ方向に面している。そして、本実施形態では、突出部４１ａとロック壁１３ｂの内面１３ｂ２とが引っ掛かることによってケーブル側コネクタ４０のコネクタ１０に対するＹ方向への移動が制限される。
【００４７】
ロック壁１３ｂは、ロック部の一例である。なお、ケーブル側コネクタ４０をコネクタ１０から取り外す場合には、ロックレバー４１をＺ方向の反対方向（下方）に押し下げることによって、突出部４１ａとロック壁１３ｂの内面１３ｂ２とのロックを容易に解除することができる。
【００４８】
本実施形態では、可動部１３は、上述した収納位置Ｐ１（図２参照）に位置された状態では、挿入口１２（Ｙ方向）に対して垂直な姿勢でベース部１１およびベース筐体２の内部に収納されている。この状態では、可動部１３が挿入口１２の少なくとも一部を塞ぎ、かつロック壁１３ｂが挿入口１２内に隠れるため、ロックレバー４１をロック不能である。
【００４９】
一方、可動部１３は、突出位置Ｐ２（図３，４参照）に位置された状態では、ベース部１１およびベース筐体２からＹ方向に突出し、挿入口１２（Ｙ方向）に対して平行以上の角度で保持される。すなわち、可動部１３は、Ｙ方向に向かうにつれてＺ方向へ向かうように傾斜した姿勢、言い換えるとロックレバー４１に沿うように傾斜した姿勢で保持されている。この状態では、可動部１３が挿入口１２を開放し、かつロック壁１３ｂが挿入口１２から露出するため、ロックレバー４１をロック可能となる。
【００５０】
以上のように、本実施形態では、コネクタ１０は、電子機器１のベース筐体２（筐体）の内部に設けられ当該ベース筐体２のＹ方向（第一方向）に露出しケーブル側コネクタ４０の少なくとも一部が挿入される挿入口１２、が設けられたベース部１１と、ケーブル側コネクタ４０のロックレバー４１をロックするロック壁１３ｂ（ロック部）が設けられ、ロック壁１３ｂがベース筐体２に収納された収納位置Ｐ１と、ロック壁１３ｂがベース筐体２からＹ方向に突出しロックレバー４１をロック可能な突出位置Ｐ２と、の間で移動可能にベース部１１に支持された可動部１３と、を備える。
【００５１】
このような構成によれば、例えば、可動部１３に設けられたロック壁１３ｂを利用してベース筐体２からＹ方向に突出した突出位置Ｐ２でロックレバー４１をロックすることができる。その結果、例えば、ベース筐体２にロックレバー４１を逃がすための切欠部を設けたり、ベース筐体２のＺ方向の高さを増大してロックレバー４１を逃がす空間を確保したりといった不都合が生じ難い。また、例えば、ロックレバー４１を挿入口１２のＹ方向の開方端（端面１１ｈ）よりもＹ方向に突出した突出位置Ｐ２でロックできるため、ケーブル側コネクタ４０の挿入口１２への挿入量ひいてはコネクタ１０をＹ方向により小型（薄型）に構成することができる。
【００５２】
また、本実施形態では、可動部１３は、収納位置Ｐ１と突出位置Ｐ２との間でＹ方向と交差したＸ方向（第二方向）に沿って延びた回転中心Ａｘ２回りに回転可能に構成されている。
【００５３】
このような構成によれば、例えば、可動部１３のロック壁１３ｂによってロックレバー４１を突出位置Ｐ２でロックできるコネクタ１０を、比較的簡素な構成によって実現することができる。
【００５４】
また、本実施形態では、ベース部１１には、可動部１３との当接によって当該可動部１３の突出位置Ｐ２から収納位置Ｐ１とは反対側への回転を制限する傾斜面１１ｇ（ストッパ部）が設けられている。
【００５５】
このような構成によれば、例えば、傾斜面１１ｇによって可動部１３を突出位置Ｐ２で保持することができる。よって、例えば、可動部１３のロック壁１３ｂとロックレバー４１とのロック状態がより確実に得られやすい。
【００５６】
また、本実施形態では、傾斜面１１ｇは、突出位置Ｐ２において可動部１３をＹ方向に向かうにつれてＺ方向（上方）へ向かうように傾斜した姿勢で保持している。
【００５７】
仮に、可動部１３を突出位置Ｐ２においてＹ方向に沿った姿勢で保持した場合、ロックレバー４１を逃がすために可動部１３に比較的大きな切欠部１３ｅ，１３ｆを設ける必要がある。その点、本実施形態によれば、可動部１３が突出位置Ｐ２において傾斜した姿勢で保持されるため、ロックレバー４１を逃がすための切欠部１３ｅ，１３ｆが比較的小さく構成されやすく、ひいては可動部１３の剛性や強度が確保されやすい。
【００５８】
また、本実施形態では、電子機器１は、コネクタ１０と、コネクタ１０が設けられＬＡＮケーブル４２（通信ケーブル）のケーブル側コネクタ４０と接続可能なベース筐体２（筐体）と、を備えている。
【００５９】
このような構成によれば、例えば、コネクタ１０を利用してベース筐体２からＹ方向に突出した突出位置Ｐ２でロックレバー４１をロックすることができる。その結果、例えば、ベース筐体２にロックレバー４１を逃がすための切欠部を設けたり、ベース筐体２のＺ方向の高さを増大してロックレバー４１を逃がす空間を確保したりといった不都合が生じ難い。
【００６０】
［変形例］
図６は、変形例のコネクタ１０Ａの斜視図であって、可動部１３が収納位置Ｐ１に位置された状態の図であり、図７は、コネクタ１０Ａの斜視図であって、可動部１３が突出位置Ｐ２に位置された状態の図である。コネクタ１０Ａは、上記実施形態のコネクタ１０と同様の構成を備えている。よって、コネクタ１０Ａは、当該同様の構成に基づく上記実施形態と同様の作用および効果を得ることができる。
【００６１】
ただし、本変形例では、図６，７に示されるように、可動部１３が収納位置Ｐ１と突出位置Ｐ２との間でＹ方向に沿ってスライド可能に構成されている点が、上記実施形態と相違している。本変形例では、コネクタ１０Ａは、例えば、ベース部１１と、可動部１３と、コネクタ端子１４と、可動アーム１５と、を備えている。可動アーム１５は、接続機構の一例である。
【００６２】
ベース部１１は、上記実施形態と同様にベース筐体２の内部に固定されている。ベース部１１には、Ｙ方向に向けて開放された挿入口１２が設けられている。挿入口１２は、ベース筐体２の側壁２ｆからＹ方向に露出し、ケーブル側コネクタ４０（図８参照）の少なくとも一部が挿入される。
【００６３】
可動部１３は、ベース部１１の天壁１１ａにＹ方向に沿ってスライド可能に支持されている。可動部１３は、後述する可動アーム１５の回転中心Ａｘ３回りの回転に連動して、収納位置Ｐ１（図６参照）と、突出位置Ｐ２（図７参照）と、の間で移動可能に構成されている。
【００６４】
図８は、コネクタ１０Ａの斜視図であって、挿入口１２にケーブル側コネクタ４０が挿入された状態の図であり、図９は、コネクタ１０Ａの可動部１３の斜視図である。図８，９に示されるように、可動部１３は、例えば、ベース壁１３ａと、取付壁１３ｉと、スライドピン１３ｋと、を有している。
【００６５】
ベース壁１３ａは、ベース部１１の天壁１１ａと平行に延びた板状に構成されている。ベース壁１３ａは、可動部１３が収納位置Ｐ１に位置された状態では、ベース部１１とベース筐体２の上壁２ａとの間のスペースに収納される。ベース壁１３ａは、コネクタ１０Ａの上端部を構成している。
【００６６】
また、ベース壁１３ａには、Ｙ方向の端部を切り欠いた切欠部１３ｈが設けられている。切欠部１３ｈの内面（縁部）は、ロックレバー４１の突出部４１ａと面したロック面１３ｈ１を有している。本変形例では、突出部４１ａとロック面１３ｈ１とが引っ掛かることによってケーブル側コネクタ４０のコネクタ１０Ａに対するＹ方向への移動が制限される。
【００６７】
ロック面１３ｈ１は、ロック部の一例である。なお、ケーブル側コネクタ４０をコネクタ１０Ａから取り外す場合には、ロックレバー４１をＺ方向の反対方向（下方）に押し下げることによって、突出部４１ａとロック面１３ｈ１とのロックを容易に解除することができる。
【００６８】
図１０は、可動部１３の斜視図であって、図９とは異なる角度から見た図であり、図１１は、図７のＹＺ断面図である。図１０，１１に示されるように、取付壁１３ｉは、例えば、ベース壁１３ａのＸ方向の両端部に設けられている。取付壁１３ｉは、ベース壁１３ａからＺ方向の反対方向に突出し、天壁１１ａに設けられた開口部１１ｊ（図７，１１参照）に挿入されている。取付壁１３ｉは、開口部１１ｊ内をＹ方向に沿ってスライド可能に支持されている。開口部１１ｊは、挿入口１２と連通している。
【００６９】
また、取付壁１３ｉには、それぞれ長穴１３ｊが設けられている。長穴１３ｊは、取付壁１３ｉをＸ方向に貫通し、Ｚ方向に縦長に延びている。長穴１３ｊには、可動アーム１５の突出部１５ｂ（図１１参照）が挿入される。可動部１３は、長穴１３ｊの内面（縁部）が可動アーム１５の突出部１５ｂによって押圧されることによりＹ方向に沿ってスライド移動する。
【００７０】
スライドピン１３ｋは、長穴１３ｊのＹ方向に隣接して設けられている。スライドピン１３ｋは、取付壁１３ｉからＸ方向またはＸ方向の反対方向に突出し、立壁１１ｃ，１１ｄに設けられた溝部１１ｉ（図７，１１参照）に挿入されている。スライドピン１３ｋは、溝部１１ｉ内をＹ方向に沿ってスライド可能に支持されている。溝部１１ｉは、上述した開口部１１ｊとＸ方向に連通している。溝部１１ｉは、レール等とも称される。
【００７１】
可動アーム１５は、例えば、アーム部１５ａと、突出部１５ｂと、を有している。突出部１５ｂは、アーム部１５ａのＺ方向の端部に設けられている。突出部１５ｂは、アーム部１５ａからＸ方向またはＸ方向の反対方向に突出し、上述した取付壁１３ｉの長穴１３ｊ内に挿入されている。突出部１５ｂは、ピンや、伝達部等とも称される。
【００７２】
アーム部１５ａは、ベース部１１の立壁１１ｃ，１１ｄにＸ方向に沿って延びる回転中心Ａｘ３を有したヒンジを介して回転可能に支持されている。アーム部１５ａは、ヒンジの回転中心Ａｘ３回りに回転することで、収納位置Ｐ１に対応した第一位置（図６参照）と、突出位置Ｐ２に対応した第二位置（図７，１１参照）と、の間で移動可能である。
【００７３】
アーム部１５ａは、挿入口１２内に設けられ、ケーブル側コネクタ４０と面している。本変形例では、アーム部１５ａがケーブル側コネクタ４０にＹ方向の反対方向に押圧されることによって、突出部１５ｂが可動部１３を収納位置Ｐ１から突出位置Ｐ２へと移動させるよう、構成されている。突出部１５ｂおよび取付壁１３ｉの長穴１３ｊは、回転直動変換機構等とも称される。
【００７４】
なお、コネクタ１０Ａには、例えば、アーム部１５ａを突出位置Ｐ２に対応した第二位置（図１１参照）から収納位置Ｐ１に対応した第一位置（図６参照）側へ向けて付勢するコイルスプリング等の付勢部材が設けられてもよい。これにより、ケーブル側コネクタ４０をコネクタ１０Ａから取り外した場合に、可動アーム１５を自動的に第二位置（図１１参照）から第一位置（図６参照）へと復帰させることができる。
【００７５】
以上のように、本変形例では、コネクタ１０Ａは、挿入口１２が設けられたベース部１１と、ロックレバー４１をロックするロック面１３ｈ１（ロック部）が設けられ、ロック面１３ｈ１がベース筐体２に収納された収納位置Ｐ１と、ロック面１３ｈ１がベース筐体２からＹ方向に突出しロックレバー４１をロック可能な突出位置Ｐ２と、の間で移動可能にベース部１１に支持された可動部１３と、を備える。よって、本変形例によっても、上記実施形態のコネクタ１０と同様の作用効果を得ることができる。
【００７６】
また、本変形例では、可動部１３は、収納位置Ｐ１と突出位置Ｐ２との間でＹ方向に沿ってスライド可能に構成されている。
【００７７】
このような構成によれば、例えば、可動部１３のロック面１３ｈ１によってロックレバー４１を突出位置Ｐ２でロックできるコネクタ１０Ａを、比較的簡素な構成によって実現することができる。
【００７８】
また、本変形例では、挿入口１２内に設けられ、ケーブル側コネクタ４０にＹ方向の反対方向に押圧されることにより可動部１３を収納位置Ｐ１から突出位置Ｐ２へと移動させる可動アーム１５を備えている。
【００７９】
このような構成によれば、例えば、可動アーム１５によってケーブル側コネクタ４０の挿入口１２への挿入に連動して可動部１３を収納位置Ｐ１から突出位置Ｐ２へと移動させることができる。よって、例えば、ユーザーが手で可動部１３を収納位置Ｐ１から突出位置Ｐ２へと移動させる作業が不要となり、ひいてはケーブル側コネクタ４０の取付作業に要する手間が減りやすい。
【００８０】
また、本変形例では、可動部１３は、ロック面１３ｈ１が設けられたベース壁１３ａと、ベース壁１３ａから挿入口１２内に突出し長穴１３ｊが設けられた取付壁１３ｉと、を有し、可動アーム１５は、ベース部１１にＸ方向（第二方向）に沿って延びた回転中心Ａｘ３回りに回転可能に支持されたアーム部１５ａと、アーム部１５ａから突出し長穴１３ｊ内に挿入された突出部１５ｂと、を有している。
【００８１】
このような構成によれば、例えば、突出部１５ｂと取付壁１３ｉの長穴１３ｊとによって、可動アーム１５の回転中心Ａｘ３回りの回転を可動部１３のＹ方向に沿った直動に変換することができる。また、例えば、長穴１３ｊによってアーム部１５ａの回転中心Ａｘ３回りの回転に伴う突出部１５ｂのＺ方向の移動（上下動）を吸収することができる。
【００８２】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００８３】
１…電子機器、２…ベース筐体（筐体）、１０，１０Ａ…コネクタ、１１…ベース部、１１ｇ…傾斜面（ストッパ部）、１２…挿入口、１３…可動部、１３ａ…ベース壁、１３ｂ…ロック壁（ロック部）、１３ｈ１…ロック面（ロック部）、１３ｉ…取付壁、１３ｊ…長穴、１５…可動アーム、１５ａ…アーム部、１５ｂ…突出部、４０…ケーブル側コネクタ、４１…ロックレバー、４２…ＬＡＮケーブル（通信ケーブル）、Ａｘ２，Ａｘ３…回転中心、Ｐ１…収納位置、Ｐ２…突出位置、Ｘ…第二方向、Ｙ…第一方向。
【図１】
0006940789.tif 000002
【図２】
0006940789.tif 000003
【図３】
0006940789.tif 000004
【図４】
0006940789.tif 000005
【図５】
0006940789.tif 000006
【図６】
0006940789.tif 000007
【図７】
0006940789.tif 000008
【図８】
0006940789.tif 000009
【図９】
0006940789.tif 000010
【図１０】
0006940789.tif 000011
【図１１】
0006940789.tif 000012